(57)【要約】【課題】別部品を必要とすることなく、容易な作業で、ボルトの脱落を確実に防止することができる、ボルトの脱落防止構造を提供すること。【解決手段】ボルト１の雄ネジが形成された軸部３の先端側に、軸芯に沿って割り溝４を形成し、該ボルト１によって被締結物１１，１２を締結した後に、該ボルト１の軸部３の先端側を、上記割り溝４をポンチなどで押し開くことにより拡開させることを特徴とする、ボルトの脱落防止構造とした。【選択図】 図３
0003178205.tif 000002
【実用新案登録請求の範囲】
【請求項１】
ボルトの雄ネジが形成された軸部の先端側に、軸芯に沿って穴或いは割り溝を形成し、該ボルトによって被締結物を締結した後に、該ボルトの軸部の先端側を、上記穴或いは割り溝を押し開くことにより拡開させることを特徴とする、ボルトの脱落防止構造。
【請求項２】
上記割り溝が、中心に形成された円柱形の穴部と、該円柱形の穴部の直径より狭い幅のスリット部とから構成されていることを特徴とする、請求項１に記載のボルトの脱落防止構造。
【考案の詳細な説明】
【技術分野】
【０００１】
本考案は、振動などによりボルトが緩むことなく、その脱落を防止し得るボルトの脱落防止構造に関するものである。
【背景技術】
【０００２】
従来のボルトの一般的な使用方法を、図５および図６に示す。
図５では、締結すべき部材５１，５２に、それぞれ貫通孔５１ａおよび内周面に雌ネジの形成された貫通孔５２ａが形成されており、該貫通孔５１ａ，５２ａにボルト５３を挿入し、該ボルト５３に形成された雄ネジを、部材５２に形成された貫通孔５２ａの雌ネジに螺合することにより、部材５１，５２が締結されている。また、図６は、締結すべき部材５１，５２に、それぞれ貫通孔５１ａおよび５２ａが形成されており、該貫通孔５１ａ，５２ａにボルト５３を挿入し、該ボルト５３に形成された雄ネジを、ナット５４の雌ネジに螺合することにより、部材５１，５２が締結されている。
なお、ボルト５３は、スパナ、六角レンチなどの工具で締め付けるのに適した形状である六角柱状の頭部５３ａと、外周面に雄ネジの形成された軸部５３ｂを有する。
【０００３】
ところで、図５および図６に示すように、ボルト５３により部材５１，５２を締結したとしても、振動が加えられるような環境の下で長期間経過すると、振動によりボルトが緩み、ボルト５３が部材５１，５２の貫通孔５１ａ，５２ａから脱落しまうことがあった。
【０００４】
そこで、図７に示すように、ボルトの軸部５３ｂの先端近傍に径方向に貫通孔５３ｃを形成し、該貫通孔５３ｃに割りピン５５を挿入するようにしたボルトが提案されている。
かかるボルトにあっては、該ボルトによって被締結物を締結した後に、割りピン５５が貫通孔５３ｃに挿入され、その両端がボルトの軸部５３ｂの外周面よりも外側に突出しているので、振動などが加えられてボルトが緩んだとしても、割りピン５５が部材５２の板面（ボルト５３がナット５４に螺合されている場合には、ナット５４の端面）に当接して係止されるので、ボルト５３の脱落が防止される。
【考案の概要】
【考案が解決しようとする課題】
【０００５】
しかしながら、上述したボルトの脱落防止構造にあっては、付属品としての割りピン５５を必要とするため、コストが高くつくとともに、割りピン５５をボルト５３に形成された貫通孔５３ｃに挿入する作業は、手間がかかり、容易に行うことができるものではなかった。
【０００６】
本考案は、上述した従来のボルトの脱落防止構造が有する欠点に鑑みなされたものであって、その目的は、別部品を必要とすることなく、容易な作業で、ボルトの脱落を確実に防止することができる、ボルトの脱落防止構造を提供することにある。
【課題を解決するための手段】
【０００７】
上記した目的を達成するため、本考案は、ボルトの雄ネジが形成された軸部の先端側に、軸芯に沿って穴或いは割り溝を形成し、該ボルトによって被締結物を締結した後に、該ボルトの軸部の先端側を、上記穴或いは割り溝を押し開くことにより拡開させることを特徴とする、ボルトの脱落防止構造とした。
【考案の効果】
【０００８】
上記した本考案のボルトの脱落防止構造によれば、被締結物を締結した後に、該ボルトの軸部の先端側を、穴或いは割り溝をポンチなどで押し開くことにより拡開させ、ボルトの脱落防止が果たされるため、ボルト以外の別の部品を必要とせず、また、その作業は容易なものとなる。また、単にボルトの雄ネジが形成された軸部の先端側に、軸芯に沿って穴或いは割り溝を形成するのみであるため、その加工は容易で、安価に形成できる。
【図面の簡単な説明】
【０００９】
【図１】本考案に係るボルトの脱落防止構造を実現する一例として示したボルトの図であって、（ａ）は平面図、（ｂ）は側面図である。
【図２】図１に示したボルトを使用して被締結物を締結した状態を示した側面図である。
【図３】図２の状態のボルトの軸部の先端側をポンチを用いて拡開させ、本考案に係るボルトの脱落防止構造を実現した実施形態を示した側面図である。
【図４】本考案に係るボルトの脱落防止構造を実現した他の実施形態を示した側面図である。
【図５】従来のボルトの使用状態の一例を示した側面図である。
【図６】従来のボルトの使用状態の他の例を示した側面図である。
【図７】従来のボルトの脱落防止構造を実現した状態を示した側面図である。
【考案を実施するための形態】
【００１０】
以下、上記した本考案に係るボルトの脱落防止構造の実施形態を、図面を示して詳細に説明する。
【００１１】
本考案に係るボルトの脱落防止構造を実現するボルトの一例を、図１に示す。
この図１に示したボルト１は、頭部２と、軸部３とを有する。頭部２は、略六角柱の形状をなし、スパナ、六角レンチなどの工具により締めつけるのに適した形状とされている。また、軸部３は、上記頭部２よりも小さな径を有する円柱状の形状をなし、その外周面には、雄ネジが形成されている。なお、この雄ネジは、軸部３の全長に渡り形成されている必要は必ずしもない。
【００１２】
軸部３の先端側には、軸芯に沿って割り溝４が形成されている。この割り溝４は、軸部３の先端側が拡開変形し易いように形成されたものである。図示したボルト１にあっては、この割り溝４は、中心に形成された円柱形の穴部４ａと、該円柱形の穴部４ａの直径より狭い幅のスリット部４ｂとから構成され、中心に形成された円柱形の穴部４ａが、ポンチなどの工具のガイド部としての作用を果たす。
【００１３】
上記ボルト１の使用し、被締結物を締結するに際しては、従来と同様に行えばよい。
すなわち、図２に示したように、締結すべき部材１１，１２に、それぞれ貫通孔１１ａおよび１２ａが形成されており、該貫通孔１１ａ，１２ａにボルト１を挿入し、該ボルト１に形成された雄ネジを、ナット１３の雌ネジに螺合することにより、部材１１，１２が締結される。
【００１４】
被締結物１１，１２をボルト１によって締結した後に、図３に示したように、突出したボルト１の軸部３の先端側を、該先端側に形成された上記割り溝４をポンチなどの工具Ｐを用いて押し開き、拡開させる。
このボルト１の軸部３の先端側の拡開作業は、割り溝４の存在により容易に行える。また図１の示したボルトの如く、割り溝４が、円柱形の穴部４ａとスリット部４ｂとから構成されたものにあっては、中心に形成された円柱形の穴部４ａが、ポンチなどの工具Ｐのガイド部として作用し、拡開が均等に行われる。
【００１５】
ボルト１の軸部３の先端側が拡開されることにより、ナット１３の緩みが拘束され、振動などが長時間加えられても、ボルト１が緩むことはなく、該ボルト１の脱落が防止される。
また、ボルト１の軸部３の先端側は、単に割り溝４の部分において折り曲げられて拡開されているだけであるため、ボルト１を取り外したい場合には、スパナ、六角レンチなどの工具を用いてボルト１或いはナット１３を取り外し方向に回転させれば、その回転に伴って拡開部は縮小され、容易にボルトを取り外すことができる。
【００１６】
図４は、本考案に係るボルトの脱落防止構造を実現した他の実施形態を示した側面図である。この実施形態では、締結すべき部材２１，２２に、それぞれ貫通孔２１ａおよび内周面に雌ネジの形成された貫通孔２２ａが形成されており、該貫通孔２１ａ，２２ａにボルト１を挿入し、該ボルト１に形成された雄ネジを、部材２２に形成された貫通孔２２ａの雌ネジに螺合することにより、部材２１，２２が締結される。
【００１７】
そして、被締結物を締結した後に、図４に示したように、突出したボルト１の軸部３の先端側を、該先端側に形成された割り溝４をポンチなどの工具Ｐを用いて押し開き、拡開させることにより、本考案に係るボルトの脱落防止構造が実現されている。
【００１８】
以上、本考案に係るボルトの脱落防止構造の実施形態を説明したが、本考案は、何ら既述の実施形態に限定されるものではなく、実用新案登録請求の範囲に記載した本考案の技術的思想の範囲内において、種々の変形および変更が可能であることは当然である。
【００１９】
例えば、上記実施形態においては、ボルト１の軸部３の先端側には、軸芯に沿って割り溝４を形成したものにつき説明したが、単に円柱形等の穴を形成したものとしてもよい。  また、上記実施形態においては、ボルトとして、頭部２が略六角柱の所謂六角ボルトを示したが、六角穴付きボルト、アイボルト、蝶ボルト、スタッドボルトなどであってもよい。
【産業上の利用可能性】
【００２０】
本考案に係るボルトの脱落防止構造は、振動が加えられる環境下において使用される部品の締結に用いられるボルト、例えば、自動車、船舶、さらにはモータを搭載した洗濯機等の家電製品の部品の締結に用いられるボルトに、広く利用することができる。
【符号の説明】
【００２１】
１    ボルト
２    頭部
３    軸部
４    割り溝
４ａ    円柱形の穴部
４ｂ    スリット部
１１，１２    締結すべき部材
１１ａ，１２ａ    貫通孔
１３    ナット
２１，２２    締結すべき部材
２１ａ    貫通孔
２２ａ    内周面に雌ネジの形成された貫通孔
Ｐ    ポンチなどの工具
【図１】
0003178205.tif 000003
【図２】
0003178205.tif 000004
【図３】
0003178205.tif 000005
【図４】
0003178205.tif 000006
【図５】
0003178205.tif 000007
【図６】
0003178205.tif 000008
【図７】
0003178205.tif 000009